(57)【特許請求の範囲】
【請求項１】
上段面（２）と下段面（３）との間に段差面（４）を介在させてなる建物の床段差部（１）において、前記上段面（２）と段差面（４）との間のコーナー部分に、横長の化粧材（５）が前記段差面（４）よりも前方へ突出した状態で取り付けられ、前記化粧材（５）は、下方に向うにつれて前方への張出量が漸増するように傾斜した背もたれ用見付面（７ｃ）を有している床段差部を利用した背もたれ構造であって、
前記化粧材（５）と前記下段面（３）との間に、クッション材（９）が着脱可能に装着され、前記クッション材（９）は、その装着時に前記化粧材（５）の背もたれ用見付面（７ｃ）に連続する背もたれ面（９ｃ）を有することを特徴とする床段差部を利用した背もたれ構造。
【請求項２】
前記上段面（２）から下段面（３）までの高さ寸法（Ｈ１）が３００〜４００ｍｍとされている請求項１記載の床段差部を利用した背もたれ構造。
【請求項３】
前記化粧材（５）の背もたれ用見付面（７ｃ）は、水平面（Ｇ）に対する傾斜角度（α）が７５〜８０度とされ、垂直方向の高さ寸法（Ｈ２）が７０〜１００ｍｍとされている請求項１又は２に記載の床段差部を利用した背もたれ構造。
【請求項４】
前記化粧材（５）の上面（６ａ）（７ａ）が、前記上段面（２）に対して面一に配され、前記化粧材（５）の上面（７ａ）と背もたれ用見付面（７ｃ）との間のコーナー部分が、丸みを帯びるように湾曲状に形成され、前記コーナー部分に、滑り止め用の切欠部（８）が形成されている請求項１乃至３のいずれかに記載の床段差部を利用した背もたれ構造。
【発明の詳細な説明】
【技術分野】
【０００１】
この発明は、例えば住宅の室内空間に設けた床段差部を利用した背もたれ構造に関する。
【背景技術】
【０００２】
従来より、リビング等の床面を部分的又は全体的に一段下げるようにして、床段差部によって囲まれた落ち着き感のある凹み空間を演出した住宅が各種提案されている（例えば、特許文献１参照）。
【０００３】
このような凹み空間では、床段差部を腰掛けや背もたれとして利用することで、利用者は様々な姿勢でくつろぐことができる。ところが、床段差部を背もたれとして利用する場合、背中への当たりが悪くて、十分にリラックスできないといった不具合があった。
【０００４】
すなわち、図６に示すように、床段差部３０は、一般的に略水平な上段面３１と略水平な下段面３２との間に略垂直な段差面３３を介在させた構造となっていて、このような床段差部３０を背もたれとして利用する場合、利用者は、下段面３２に床座した状態で背中を段差面３３にもたれさせることになる。このとき、利用者の背中は斜めに傾くことになるが、段差面３３は略垂直であるため、上段面３１と段差面３３との間のコーナー部分が背中に局部的に当たり易くなって、比較的長い時間座っていると、背中が痛くなることがあった。
【０００５】
そこで、床段差部を背もたれとして利用する場合には、背中と段差面と間にクッション材を挟み込んだ状態で座るといったことが、日常的に行われている。また、段差面に応じた形状、大きさのクッション材を、段差面に張り付けた構造も見受けられる（例えば、特許文献２参照）。
【先行技術文献】
【特許文献】
【０００６】
【特許文献１】特開２００９−４６９２５号公報
【特許文献２】特開２００３−１０５９９１号公報
【発明の概要】
【発明が解決しようとする課題】
【０００７】
しかしながら、背中と段差面と間にクッション材を挟み込む場合には、クッション材の形状や大きさによっては、違和感が生じて、リラックスした状態で座ることができないといった不具合があった。一方、段差面にクッション材を張り付ける場合には、例えば段差面に沿わせるように家具等を設置する際に、クッション材が邪魔になったり、またクッション材の劣化に伴って、面倒な張り替え作業が必要になるといった不具合があった。
【０００８】
この発明は、上記の不具合を解消して、床段差部を背もたれとして快適に利用することができる背もたれ構造の提供を目的とする。
【課題を解決するための手段】
【０００９】
上記課題を解決するため、この発明の背もたれ構造は、上段面２と下段面３との間に段差面４を介在させてなる建物の床段差部１において、前記上段面２と段差面４との間のコーナー部分に、横長の化粧材５が前記段差面４よりも前方へ突出した状態で取り付けられ、前記化粧材５は、下方に向うにつれて前方への張出量が漸増するように傾斜した背もたれ用見付面７ｃを有していることを特徴とする。
【００１０】
また、前記化粧材５と前記下段面３との間に、クッション材９が着脱可能に装着され、前記クッション材９は、その装着時に前記化粧材５の背もたれ用見付面７ｃに連続する背もたれ面９ｃを有している。
【００１１】
さらに、前記上段面２から下段面３までの高さ寸法Ｈ１が３００〜４００ｍｍとされている。
【００１２】
また、前記化粧材５の背もたれ用見付面７ｃは、水平面Ｇに対する傾斜角度αが７５〜８０度とされ、垂直方向の高さ寸法Ｈ２が７０〜１００ｍｍとされている。
【００１３】
さらにまた、前記化粧材５の上面６ａ、７ａが、前記上段面２に対して面一に配され、前記化粧材５の上面７ａと背もたれ用見付面７ｃとの間のコーナー部分が、丸みを帯びるように湾曲状に形成され、前記コーナー部分に、滑り止め用の切欠部８が形成されている。
【発明の効果】
【００１４】
この発明の背もたれ構造においては、床段差部を背もたれとして利用する場合、下段面に床座した利用者の斜めに傾いた背中に、化粧材の傾斜した背もたれ用見付面が当たることになるから、比較的長い時間座っていても、背中が痛くなり難く、床段差部を背もたれとして快適に利用することができる。
【００１５】
特に、床段差部における上段面から下段面までの高さ寸法を、背もたれに適した３００〜４００ｍｍとし、化粧材の背もたれ用見付面の水平面に対する傾斜角度を、一般的な椅子の背もたれと同様の７５〜８０度とし、化粧材の背もたれ用見付面の垂直方向の高さ寸法を、比較的長い７０〜１００ｍｍとすることによって、背もたれ用見付面に十分に体重をあずけても（背中を背もたれ用見付面に強く押し付けても）、背中が痛くならず、快適度をより一層高めることができる。
【００１６】
また、化粧材と下段面との間にクッション材を装着して、化粧材の背もたれ用見付面にクッション材の背もたれ面を連続させることで、利用者の背中を、違和感を生じさせることなく、背もたれ用見付面及び背もたれ面によってごく自然に広範囲に支えることになり、しかもクッション材は柔らかくて弾力性を有していることから、背もたれとしての座り心地をより一層良好にすることができる。
【００１７】
しかも、クッション材は着脱可能であるから、例えば段差面に沿わせるように家具等を設置する際に、クッション材が邪魔になったり、またクッション材の劣化に伴って、面倒な張り替え作業が必要になるといった不具合が生じることはない。
【００１８】
また、化粧材の上面と背もたれ用見付面との間のコーナー部分に、丸みを帯びさせることで、背もたれ用見付面の背中への当たりをより一層良好にすることができる。この場合、床段差部の昇降に際して、コーナー部分に載せた足が滑り易くなるが、このコーナー部分には、滑り止め用の切欠部を形成してあるので、昇降時の安全性に支障をきたすこともない。
【図面の簡単な説明】
【００１９】
【図１】この発明の一実施形態に係る床段差部を利用した背もたれ構造を示す斜視図である。
【図２】同じくその縦断面図である。
【図３】同じくその化粧材部分の拡大縦断面図である。
【図４】同じくその使用状態を示す縦断面図である。
【図５】他の実施形態に係る床段差部を利用した背もたれ構造を示す斜視図である。
【図６】従来の床段差部を利用した背もたれ構造を示す斜視図である。
【発明を実施するための形態】
【００２０】
以下、この発明の実施形態を図面に基づいて詳細に説明する。この発明の一実施形態に係る床段差部を利用した背もたれ構造は、例えばリビングやダイニング等の床面を部分的又は全体的に一段下げるようにして、床段差部によって囲まれた凹み空間を演出した住宅において適用されている。
【００２１】
この背もたれ構造では、図１及び図２に示すように、略水平な上段面２と略水平な下段面３との間に略垂直な段差面４を介在させた床段差部１において、上段面２と段差面４との間のコーナー部分に、框材や見切り材としての機能を有する横長の木製化粧材５を取り付けている。
【００２２】
なお、図２中、１０は土間コンクリート、１１、１２は土間コンクリート１０に立設した束材、１３は束材１１上に取り付けた鋼製大引、１４は鋼製大引１３上に取り付けた根太、１５は根太１４上に敷設した上部床材、１６は束材１２上に敷設した下部床材、１７は鋼製下地材、１８は鋼製下地材１７の前面に取り付けた表面化粧板、１９は化粧材５を受ける下地材を示している。
【００２３】
上段面２は、例えば上部床材１５の上面によって構成され、下段面３は、例えば下部床材１６の上面によって構成され、段差面４は、例えば表面化粧板１８の前面によって構成されている。そして、上段面２から下段面３までの垂直方向の高さ寸法（段差寸法）Ｈ１が、例えば３００〜４００ｍｍ（好ましくは３６０ｍｍ）に設定されている。高さ寸法Ｈ１をこのように設定することによって、落ち着いた雰囲気の凹み空間とすることができ、床段差部１を腰掛けや背もたれとして利用するのにも適している。
【００２４】
化粧材５は、図２及び図３に示すように、上部床材１５の端面を覆い隠す水平片６と、この水平片６の前端部から垂下した垂下片７とを備え、断面略Ｌ字状に形成されている。この化粧材５は、垂下片７が段差面４よりも前方（図１において白抜き矢印に示す方向）へ突出した状態となるように、下地材１９に固定されていて、化粧材５の上面（水平片６及び垂下片７の略水平な上面６ａ、７ａ）が、上段面２に対して面一に配され、垂下片７の略水平な下面７ｂが、下段面３に対して所定間隔をあけて略平行に配されている。
【００２５】
そして、垂下片７における上面７ａと下面７ｂとを繋ぐ背もたれ用見付面（前面）７ｃが、下方に向うにつれて前方への張出量が漸増するように傾斜した傾斜面となっている。この背もたれ用見付面７ｃは、図３に示すように、水平面Ｇに対する傾斜角度αが例えば７５〜８０度（好ましくは７８度）といった一般的な椅子の背もたれと同様の傾斜角度とされ、垂直方向の高さ寸法Ｈ２が例えば７０〜１００ｍｍ（好ましくは８３ｍｍ）とされている。
【００２６】
また、垂下片７における上面７ａと見付面７ｃとの間のコーナー部分、及び、下面７ｂと見付面７ｃとの間のコーナー部分は、Ｒ処理がなされて丸みを帯びた湾曲状に形成されており、さらに上面７ａと見付面７ｃとの間のコーナー部分には、足掛かりとなる滑り止め用の溝状切欠部８が横方向に沿って形成されている。
【００２７】
このような化粧材５を取り付けた床段差部１を背もたれとして利用する場合、図４に示すように、下段面３に床座した利用者の斜めに傾いた背中に、化粧材５における垂下片７の背もたれ用見付面７ｃが当たることになる。
【００２８】
この背もたれ用見付面７ｃは、上記のように背もたれに適した段差寸法に設定された床段差部１における段差面４の上端付近に位置するとともに、一般的な椅子の背もたれと同様の傾斜角度αを有し、高さ寸法Ｈ２も比較的長くなっていて、しかも上端部及び下端部が丸みを帯びていることから、背もたれ用見付面７ｃに十分に体重をあずけても（背中を背もたれ用見付面７ｃに強く押し付けても）、背中が痛くならず、床段差部１を背もたれとして快適に利用することができるようになっている。
【００２９】
また、この床段差部１においては、背もたれとしての座り心地をより一層良好にするために、図１及び図２に示すように、クッション材９を併用可能としている。このクッション材９は、断面略三角形状に形成されていて、化粧材５における垂下片７の下面７ｂと下段面３との間に嵌り込むようにして、着脱可能に装着されるようになっている。
【００３０】
このクッション材９は、装着時に段差面４に重ね合わせる略垂直な後面９ａと、装着時に下段面３に載せる略水平な下面９ｂと、装着時に化粧材５における垂下片７の背もたれ用見付面７ｃに連続する背もたれ面（前面）９ｃとを有し、背もたれ面９ｃは、前方へ膨れ出るように湾曲して形成されている。なお、クッション材９は、床段差部１から取り外して、単独で枕等としても使用可能となっている。
【００３１】
このように化粧材５の下側にクッション材９を装着して、化粧材５おける垂下片７の背もたれ用見付面７ｃに、クッション材９の背もたれ面９ｃを連続させることで、床段差部１を背もたれとして利用する場合、図４に示すように、下段面３に床座した利用者の背中を、違和感を生じさせることなく、背もたれ用見付面７ｃ及び背もたれ面９ｃによってごく自然に広範囲に支えることになり、しかもクッション材９は柔らかくて弾力性を有していることから、背もたれとしての座り心地をより一層良好にすることができる。
【００３２】
以上に、この発明の実施形態について説明したが、この発明は、上記実施形態に限定されるものではなく、この発明の範囲内で種々変更して実施することが可能である。
【００３３】
例えば、図５に示すように、窓際に設けられた床段差部１においては、窓台（窓下枠）２０の上面によって構成された上段面２と段差面４との間のコーナー部分に、横長の木製化粧材５を取り付けるようにしても良い。
【００３４】
また、化粧材５は、木製に限らず、合成樹脂製や金属製であっても良い。さらに、化粧材５は、水平片６と垂下片７とを一体成形したものだけに限らす、水平片６とは別体とした垂下片７のみから構成されていても良い。さらにまた、クッション材９は、必ずしも併用する必要はない。
【符号の説明】
【００３５】
１・・床段差部、２・・上段面、３・・下段面、４・・段差面、５・・化粧材、６ａ、７ａ・・化粧材の上面、７ｃ・・背もたれ用見付面、８・・切欠部、９・・クッション材、９ｃ・・背もたれ面、Ｇ・・水平面、Ｈ１、Ｈ２・・高さ寸法、α・・傾斜角度
【図１】
0005682785.tif 000002
【図２】
0005682785.tif 000003
【図３】
0005682785.tif 000004
【図４】
0005682785.tif 000005
【図５】
0005682785.tif 000006
【図６】
0005682785.tif 000007